(57)【特許請求の範囲】
【請求項１】
上部に投入口を有するケーシングと、
この投入口を開閉する蓋体と、
前記投入口の下方に設けられ、この投入口より投入された衛生処理体を受け止めるとともにその衛生処理体の投入後に前記蓋体が閉塞されたときに受け止めた衛生処理体を下方に渡す開閉体とを有してなる受け渡し手段と、
この受け渡し手段の下方に連設され、この受け渡し手段から渡された衛生処理体を、前記受け渡し手段の開放動作を検出したときに作動する圧縮ローラにより強制的に減容する減容手段と、
この減容手段に連設され、減容手段により減容された衛生処理体を収容する収容手段とを備え、
前記ケーシングの投入口を介して前記受け渡し手段に投入された衛生処理体を、下方の減容手段に渡し、この減容手段によって強制的に減容した状態で収容手段において収容するようになされていることを特徴とする衛生処理装置。
【請求項２】
前記収容手段は、前記衛生処理体を収容する収容部と、この収容部の内部の空気を排気する吸引部とを備え、この収容部はケーシングに対し着脱可能に設けられていることを特徴とする請求項１に記載の衛生処理装置。
【請求項３】
上部に投入口を有するケーシングと、
この投入口を開閉する蓋体と、
前記投入口の下方に設けられ、この投入口より投入された衛生処理体を受け止めるとともにその衛生処理体の投入後に前記蓋体が閉塞されたときに観音開きに回転することにより受け止めた衛生処理体を下方に渡す開閉体を有してなる受け渡し手段と、
この受け渡し手段の下方に連設され、前記受け渡し手段から渡された衛生処理体を一対のシート状ビニールの側端を熱溶着することで形成された袋に包み込む包み込み手段と、
この包み込み手段により衛生処理体が包み込まれた袋内から空気を吸引する真空手段とを有し、この真空手段により、袋内の空気を吸引して袋内で衛生処理体を押しつぶすようになされている減容手段と、
この減容手段に連設され、減容手段により減容された衛生処理体を収容する収容手段とを備え、
前記ケーシングの投入口を介して前記受け渡し手段に投入された衛生処理体を、下方の減容手段に渡し、この減容手段によって強制的に減容した状態で収容手段において収容するようになされていることを特徴とする衛生処理装置。
【請求項４】
前記シート状ビニールとしては不透明なビニールが適用されていることを特徴とする請求項３に記載の衛生処理装置。
【請求項５】
前記ケーシングは、室内側部分と室外側部分とを備え、室内側部分には、蓋体、受け渡し手段、及び減容手段のうちの少なくとも蓋体が設けられている一方、室外側部分には、受け渡し手段、減容手段、及び収容手段のうちの少なくとも収容手段が設けられていることを特徴とする請求項１乃至４のいずれか１つに記載の衛生処理装置。
【請求項６】
前記受け渡し手段又は減容手段には、衛生処理体を殺菌する殺菌灯が設けられていることを特徴とする請求項１乃至５のいずれか１つに記載の衛生処理装置。
【発明の詳細な説明】
【０００１】
【発明の属する技術分野】
本発明は、トイレット内において廃棄される使用済みの女性用生理用品又は紙おむつなどの衛生処理体を衛生的に処理する衛生処理装置に関するものである。
【０００２】
【従来の技術】
従来、このような衛生処理体は、トイレットペーパのように水に溶けないため、トイレなどに備え付けた容器内に廃棄されるようになされている。特に、近来の衛生処理体は、その液漏れ機能を向上させる上で、例えば高分子吸収体を用いて材質改善を図る傾向が強く、その性格上、たとえ粉体レベルまで粉砕したとしても、到底便器で水と共に流せる代物ではあり得ないものとなる。従って、使用済みの衛生処理体は容器内に廃棄されるしか方策がなく、容器に開口部を閉じる蓋体を設けることで、使用済みとなった衛生処理体が原型のままで収容されても、人目に触れない程度の配慮しかなされていないものとなる。
【０００３】
【発明が解決しようとする課題】
ところが、このような容器は、トイレなどの限られた空間に設けられる関係上、その容量自体が僅かなものとなる。このため、衛生処理体が原型のままで多数収容されると、容器の容量がたちどころに超過し、蓋もできない状態となる。これにより、美観が損なわれるのは勿論のこと、使用済みの衛生処理体から悪臭が漂い、非常に非衛生的なものとなる。
【０００４】
特に、女性用生理用品にあっては、女性の心理面からみても、原型のままで廃棄することに強い抵抗があり、まして人目にさらされることに至っては嫌悪感すら覚え、女性の身になった有効な対策が切望されていた。
【０００５】
本発明は、かかる点に鑑みてなされたものであり、その目的とするところは、使用者、特に女性の心理面を配慮し、使用済みの衛生処理体を衛生的でかつ原型を止めることなく効率良く容器内に収容し得る衛生処理装置を提供することにある。
【０００６】
【課題を解決するための手段】
上記目的を達成するために、本発明が講じた解決手段は、衛生処理装置として、上部に投入口を有するケーシングと、この投入口を開閉する蓋体と、投入口の下方に設けられ、投入口より投入された衛生処理体を下方に渡し可能に受け止める受け渡し手段と、この受け渡し手段の下方に連設され、受け渡し手段から渡された衛生処理体を強制的に減容する減容手段と、この減容手段に連設され、減容手段により減容された衛生処理体を収容する収容手段とを備える。そして、ケーシングの投入口を介して受け渡し手段に投入された衛生処理体を、下方の減容手段に渡し、この減容手段によって強制的に減容した状態で収容手段において収容するようになされたものとする。
【０００７】
本発明の場合、使用済みの衛生処理体は、ケーシングの投入口から受け渡し手段を経て減容手段により強制的に減容された状態で収容手段に収容されるので、使用済みの衛生処理体が原型のままで容器内に多数収容される場合と比べて、使用済みの衛生処理体が効率良く収容され、蓋体が閉じれないといった不都合が円滑に解消されることになる。これにより、美観を向上させることができるのは勿論のこと、使用済みの衛生処理体からの悪臭もシャットアウトされ、非常に衛生的なものとなる。
【０００８】
しかも、女性用生理用品においても、原型のままで収容手段に収容されることがない上、人目にさらされることもなく、女性の心理面を十分に満足させることが可能となる。
【０００９】
ここで、例えば、減容手段に、衛生処理体を強制的に乾燥させる乾燥手段と、この乾燥手段により乾燥された衛生処理体を細断する細断手段とを具備する場合には、細断手段による衛生処理体の細断が、乾燥手段により乾燥された状態で行なわれるため、衛生処理体に対する刃先の切り込みがスムーズに行なえ、減容手段の減容効率を図ることが可能となる。しかも、乾燥手段による衛生処理体の強制乾燥により、使用済みの衛生処理体から発生する悪臭を効果的に遮断することが可能となる。
【００１０】
これに対し、減容手段に、衛生処理体を細断する細断手段と、この細断手段により細断された衛生処理体を強制的に乾燥させる乾燥手段とを具備する場合には、乾燥手段による衛生処理体の強制乾燥が、細断手段により細かく細断された状態で行なわれるため、衛生処理体に対する乾燥手段の乾燥効率が飛躍的に高められ、減容手段の減容（乾燥手段の乾燥）に要する時間を短縮させることが可能となる。しかも、細断した衛生処理体の強制乾燥により、使用済みの衛生処理体から発生する悪臭をより効果的に遮断することが可能となる。
【００１１】
一方、衛生処理体を袋内に包み込む包み込み手段と、この包み込み手段により衛生処理体が包み込まれた袋内から空気を吸引する真空手段とを減容手段に備え、真空手段によって袋内の空気を吸引して袋内で衛生処理体を押しつぶす場合には、衛生処理体を一端が開口する袋内に落としてから空気を吸引して押しつぶすことで、減容手段が嵩張ることなく簡単に構成され、減容手段のコンパクト化及びシンプル化を図ることが可能となる。
【００１２】
また、ケーシングに室内側部分と室外側部分とを備え、その室内側部分に、蓋体、受け渡し手段、及び減容手段のうちの少なくとも蓋体を設ける一方、室外側部分に、受け渡し手段、減容手段、及び収容手段のうちの少なくとも収容手段を設ける場合には、蓋体のみを室内側部分に設け、残る受け渡し手段、減容手段及び収容手段といった作動時に音がする騒音部分を室外側部分に集約して設けることも可能となる。これにより、衛生処理装置の使用者が判別し難いものとなり、使用者のプライバシーが確実に確保され、使用者への配慮が十分になされたものとなる。
【００１３】
さらに、収容手段に、衛生処理体に吸引力を付与する吸引部と、この吸引部により吸引された衛生処理体を収容する収容部とを備え、この収容部をケーシングに対し着脱可能に設ける場合には、使用済みの衛生処理体の悪臭を吸引部により吸引して悪臭の逆流を防止しつつ、衛生処理体を収容部内に確実に吸引することが可能となり、収容部に収容された衛生処理体をケーシングから収容部ごと取り出して簡単に廃棄することが可能となる。
【００１４】
しかも、受け渡し手段又は減容手段に衛生処理体を殺菌する殺菌灯を設けた場合には、使用済みの衛生処理体からの雑菌の繁殖を抑え、衛生処理体をケーシング内において非常に衛生的に収容することが可能となる。
【００１５】
そして、受け渡し手段に、上部が投入口と連通する容器と、この容器の下端に設けられ、衛生処理体が容器内に投入されかつ蓋体が閉塞されたときに容器の下端を開放する開閉可能な開閉体とを備える場合には、使用済みの衛生処理体は、容器内に投入されたときに閉塞状態にある開閉体により受け止められ、この開閉体が蓋体の閉塞に伴って開放することで下方の減容手段に渡されることになる。このため、使用済みの衛生処理体を容器内に投入する際に、先に投入した衛生処理体は既に減容手段に渡されているために開口部を介して見えることがなく、使用者、特に女性にとって非常に好ましいものとなる。
【００１６】
さらにまた、収容部に、強制的に減容された衛生処理体を密閉状態に包み込む包み込み手段を備える場合には、包み込み手段によって、使用済みの衛生処理体からの悪臭及び内容物の漏れ出しが確実に抑えられ、衛生上において非常に優れたものとなる。
【００１７】
加えて、衛生処理体を不透明なビニールによって個別に包み込むような包み込み手段を構成した場合には、使用済みの衛生処理体が人目に晒されることはなく、使用済みの衛生処理体からの悪臭及び内容物の漏れ出しも個別に防止されてより確実なものとなり、女性の心理面を配慮した非常に優れたものとなる。
【００１８】
【発明の実施の形態】
以下、本発明の実施の形態を図面に基づいて説明する。
【００１９】
＜第１の参考例＞
図１及び図２は本発明の第１の参考例に係わる衛生処理装置を示している。図１に示すように、衛生処理装置Ｘは、ケーシング１と、蓋体２と、受け渡し手段３と、減容手段４と、収容手段５とを備えてなる。衛生処理装置Ｘは、女性用トイレの個室Ｋの床面Ｋａ隅に設置され、使用済みのナプキン及びタンポンなどの女性用生理用品Ｓを収容するために適用される。
【００２０】
ケーシング１は、図２に示すように、上下方向に長い有底四角筒状に形成され、前方（図１では右側）へ向かって僅かに下方に傾斜する上板１１と、個室Ｋの床面Ｋａ上に接する底板１２と、この上板１１及び底板１２間を前後左右方向から覆う前後両板１３，１４及び左右両側板１５，１６とを備えてなる。上板１１の前部には、下端が前板１３の上端に跨がるように上方に開口する投入口１７が設けられている。この投入口１７は平面視で略矩形状をなし、使用済みの女性用生理用品Ｓのみが投入可能な大きさに形成されてなる。
【００２１】
蓋体２は、投入口１７を隙間なく覆うように断面略Ｌ字状に形成され、平面視で投入口１７よりも一回り大きな略矩形状を呈してなる。この蓋体２は、その一辺側（図１では左側）がケーシング１の上板１１略中央位置を左右方向（図１では手前奥方向）に延びる軸（図示せず）回りに回転可能に支持され、この軸回りの回転によって投入口１７を開閉させるようになされている。この蓋体２の他辺側端部（図１では右側端部）には前方へ突出する突起２１が設けられている。蓋体２は、その突起２１を上方へ持ち上げることで開放動作する一方、突起２１を下方へ降ろすことで閉塞動作するようになされている。
【００２２】
受け渡し手段３は、上部が投入口１７と連通する筒形状の受け渡し容器３１と、この受け渡し容器３１の下端に設けられ、その受け渡し容器３１の下端開口３１ａを開閉する開閉体３２とを備えてなる。受け渡し容器３１は、ケーシング１内の前後方向略中央部を左右方向に延びる仕切壁３３を備えている。この仕切壁３３は、その左右両側端が左右両側板１５，１６にそれぞれ固定されていると共に、上端が上板１１に固定され、ケーシング１内の上部前側において上板１１及び左右両側板１５，１６とで受け渡し容器３１が形成されるようになされている。
【００２３】
一方、開閉体３２は、その左右両側端が断面略チャンネル状の案内部材３４（図１に一方のみ示す）に摺動自在に支持されてなる。この各案内部材３４は、仕切壁３３の下端位置における左右両側板１５，１６上を前後方向に延設されている。開閉体３２は、図示しないモータなどの駆動機構により各案内部材３４に案内されて前後方向にスライド移動し、受け渡し容器３１の下端開口３１ａを開閉させるようになされている。また、上板１１の投入口１７左側縁には、蓋体２の開放状態からの閉塞動作を検出する開閉センサ３５が設けられている。
【００２４】
この開閉センサ３５は、公知の接点式のものであり、蓋板２の左側縁との当接により蓋体２の閉塞を検知する閉塞検知位置（図１に破線で示す位置）と、蓋板２との離反により開放を検知する開放検知位置（図１に二点鎖線で示す位置）とに接点３５ａが相互に切り換えられるようになされている。そして、開閉体３２は、受け渡し容器３１内に使用済みの衛生処理体Ｓが投入されてから開放状態の蓋体２が閉塞動作するとき、つまり開閉センサ３５により蓋体２の閉塞が検知されたときにのみ、駆動機構に出力される指令信号によって開放動作し、受け渡し容器３１内で受け止めていた衛生処理体Ｓを下方に投下する（渡す）ようになされている。また、案内部材３４には開閉体３２の閉塞状態を検出する接点式の検出スイッチ（図示せず）が設けられている。この場合、開閉体３２は、その開放動作の完了直後、つまり衛生処理体Ｓを下方に渡した直後に、速やかに駆動機構によって閉塞動作するように構成されてなる。
【００２５】
減容手段４は、開閉体３２の開放により受け渡し容器３１内から渡された衛生処理体Ｓを強制的に乾燥させる乾燥手段４１と、この乾燥手段４１の下方に設けられ、乾燥手段４１により乾燥された衛生処理体Ｓを細断する細断手段４２とを備えている。
【００２６】
この乾燥手段４１は、受け渡し容器３１の下方に連設された乾燥容器４３を備えている。この乾燥容器４３は、上部が受け渡し容器３１の下端開口３１ａと連通する筒形状をなし、ケーシング１内の前側において熱伝導の高いアルミニウム製の仕切壁４４により周囲が形成されている。この仕切壁４４の外周囲には電熱コイル４５が取り付けられている。乾燥容器４３の下端には、その下端開口４３ａを開閉するアルミニウム製の開閉体４６が設けられている。
【００２７】
この開閉体４６は、仕切壁４４の下端位置における左右両側板１５，１６上を前後方向に延びる断面略チャンネル状の案内部材４７（図１に一方のみ示す）に左右両側端が摺動自在に支持されてなる。開閉体４６は、図示しないモータなどの駆動機構により各案内部材４７に案内されて前後方向にスライド移動し、乾燥容器４３の下端開口４３ａを開閉させるようになされている。そして、開閉体４６の下面にも電熱コイル４５が取り付けられている。また、ケーシング１の前板１１及び左右両側板１５，１６と、これと対峙する電熱コイル４５の外方との間には、断熱材４０が介装され、電熱コイル４５からケーシング１への熱の伝達が断熱されるようになされている。この場合、開閉体４６は、その開放動作の完了直後、つまり衛生処理体Ｓを下方に渡した直後に、速やかに駆動機構によって閉塞動作するように構成されてなる。
【００２８】
また、ケーシング１内における乾燥容器４３の後方にはブロワ４８が設けられている。ブロワ４８の吸引口４８ａには吸引管４８ｂの下流端が接続されていると共に、吐出口４８ｃには吐出管４８ｄの上流端が接続されている。吸引管４８ｂの上流端はケーシング１の後板１４を介して個室Ｋ内に開口している一方、吐出管４８ｄの下流端は仕切壁４４を介して乾燥容器４３内の下部位置に開口している。また、仕切壁４４の上部位置には排気管４８ｅの上流端が接続され、この排気管４８ｅの下流端は、ハニカムコアよりなる脱臭フィルタ４８ｆ及び後板１４を介して個室Ｋ内に開口し、脱臭フィルタ４８ｆによって乾燥容器４３内の悪臭が十分に除去された状態で個室Ｋ内に排気を排出するようになされている。そして、乾燥容器４３内では、周囲及び底部からの電熱コイル４５による加熱と、ブロワ４８の吐出管４８ｄを介して導入される風とにより熱風が生成され、この熱風を衛生処理体Ｓに吹き付けて衛生処理体Ｓを強制的に乾燥させるようになされている。この場合、乾燥手段４１は、乾燥容器４３、電熱コイル４５及びブロワ４８により構成されている。
【００２９】
さらに、減容手段４つまり乾燥容器４３の仕切板４４には、衛生処理体Ｓを殺菌する殺菌灯４９が設けられている。この殺菌灯４９は、乾燥容器４３内において紫外線を衛生処理体Ｓに対し照射するために供される。また、仕切板４４には公知の湿度センサ４４ｂが設けられ、この湿度センサ４４ｂによって、乾燥容器４３内の湿度つまり衛生処理体Ｓの乾燥具合を検知するようになされている。
【００３０】
この湿度センサ４４ｂにより検出された検出信号は、乾燥容器４３下端の開閉体４６の駆動機構に対し出力されるようになっている。そして、開閉体４６は、乾燥容器４３内において乾燥手段４１により衛生処理体Ｓを乾燥させて湿度センサ４４ｂの検出値が所望の値となった時点（衛生処理体Ｓが十分に乾燥した時点）で、湿度センサ４４ｂから駆動機構に指令信号が出力されて開放動作し、乾燥容器４３内の衛生処理体Ｓを下方に投下するようになされている。案内部材４７には開閉体４６の開放状態を検出する接点式の検出スイッチ（図示せず）が設けられている。この場合、電熱コイル４５、ブロワ４８及び殺菌灯４９は、開閉体３２の閉塞状態を検出する検出スイッチからの検出信号を受けてそれぞれＯＮ作動し、湿度センサ４４ｂの検出値が所望の値となった時点でそれぞれＯＦＦ作動するようになされている。
【００３１】
一方、細断手段４２は、略円筒形状の枠体ケーシング４２ａに内装された細断機構（図示せず）を備えている。この細断手段４２は、一対のロール状カッターを備え、この各ロール状カッターにより衛生処理体Ｓを細断するようになされている。また、枠体ケーシン４２ａには、乾燥容器４３の下端開口４３ａと対向するように上方に開口する供給口４２ｂと、後述する引出ケース５２ａの吸引口５２ｂと対向するように下方に開口する排出口４２ｃとを備えてなる。そして、細断手段４２は、乾燥容器４３下端の開閉体４６の開放動作を検出する検出センサからの検出信号を受けてＯＮ作動し、衛生処理体Ｓの細断に要する所定時間（例えば数分）経過後に自動的にＯＦＦ作動するようになされている。
【００３２】
収容手段５は、細断手段４２の下方に連設され、細断された衛生処理体Ｓに吸引力を付与する吸引部５１と、この吸引部５１により吸引された衛生処理体Ｓを収容する収容部５２とを備えている。
【００３３】
収容部５２にはボックス状の引出ケース５２ａが設けられ、この引出ケース５２ａは、引き出し方向（図１では紙面奥方向）へのスライド移動によって収容部５２に対し着脱可能に取り外されるようになされている。この引出ケース５２ａの引き出し方向に対応するケーシング１の左側板１５下部位置には、引出ケース５２ａをケーシング１外に取り出し可能とする引出ケース取出孔１８が設けられている。この引出ケース取出孔１８の上縁には、蓋板１９の上端が開閉自在に支持されている。
【００３４】
引出ケース５２ａには、細断手段４２の枠体ケーシング４２ａの排出口４２ｃに接続されるように収容部５２を貫通して上方に開口する吸引口５２ｂと、吸引部５１の吸引ケース５１ａ（後述する）に対し収容部５２を介して接続される接続口５２ｃとが設けられている。引出ケース５２ａ内には、掃除機などに広く適用される紙パック（図示せず）が取り外し可能に装着されている。この紙パックの開口部は、細断手段４２の枠体ケーシング４２ａの排出口４２ｃに向けて開口している。
【００３５】
一方、吸引部５１は、図示しないブロワが吸引ケース５１ａに内装されてなる。このブロワは、その吸引口が引出ケース５２ａの接続口５２ｃに接続されている一方、吐出口がハニカムコアよりなる脱臭フィルタ５１ｂ及び後板１４を介して個室Ｋ内に開口し、脱臭フィルタ５１ｂによって引出ケース５２ａ（紙パック）内の臭気が十分に除去された状態で個室Ｋ内に排気を排出するようになされている。そして、ブロワは、乾燥容器４３下端の開閉体４６の開放動作を検出する検出センサからの検出信号に基づいてＯＮ作動し、細断手段４２の細断機構の停止後から所定時間（例えば数分）遅れて自動的にＯＦＦ作動するようになされている。この場合、紙パック内（引出ケース５２ａ内）には、吸引部５１により吸引された衛生処理体Ｓの細断片が収容されるようになされている。
【００３６】
ここで、衛生処理装置により使用済みの衛生処理体Ｓを処理する場合の手順について説明する。この場合、収容手段５の収容部５２の引出ケース５２ａ内には紙パックが装着されているものとする。
【００３７】
先ず、図１に二点鎖線で示すように、突起２１を上方へ持ち上げ、蓋体２を開放動作させてケーシング１の投入口１７を開放させ、この状態で、使用済みの衛生処理体Ｓを投入口１７を介して受け渡し手段３の受け渡し容器３１内に投入する。それから、突起２１を下方へ降ろして蓋体２を閉塞動作させる。このとき、開閉センサ３５により蓋体２の閉塞を検知すると、駆動機構に出力される指令信号によって開閉体３２が開放動作し、図１に実線で示すように、受け渡し容器３１内で受け止めていた衛生処理体Ｓを、図１に一点鎖線で示すように、受け渡し容器３１の下端開口３１ａを介して落下させ、乾燥手段４１の乾燥容器４３内に渡す。
【００３８】
次いで、開閉体３２を閉塞動作させる。そして、開閉体３２の閉塞状態を検出スイッチにより検出した時点で、電熱コイル４５、ブロワ４８及び殺菌灯４９をそれぞれＯＮ作動させる。このとき、乾燥容器４３内において電熱コイル４５及びブロワ４８により生成された熱風は、乾燥容器４３内を循環した後、排気管４８ｅから脱臭フィルタ４８ｆを経て個室Ｋ内に排出されるので、乾燥容器４３内の悪臭が十分に脱臭されてから個室Ｋ内に排出されることになる。
【００３９】
これにより、乾燥容器４３内において生成される熱風により衛生処理体Ｓを強制的に乾燥させ、使用済みの衛生処理体Ｓから発生する悪臭を効果的に遮断することができる。一方、紫外線の照射により衛生処理体を消毒して雑菌の繁殖を抑制し、衛生処理体Ｓをケーシング１内において非常に衛生的に収容することができる。しかも、使用済みの衛生処理体Ｓ（図１に二点鎖線で示す状態）を受け渡し容器３１内に投入する際に、先に投入した衛生処理体Ｓ（図１に一点鎖線で示す状態）は既に減容手段４の乾燥容器４３内に渡されているために投入口１７を介して見えることがなく、女性にとって非常に好ましいものとなる。
【００４０】
その後、湿度センサ４４ｂの検出値が所望の値となった時点、つまり衛生処理体Ｓが十分に乾燥した時点で、乾燥容器４３下端の開閉体４６の駆動機構に指令信号（ＯＮ作動信号）を出力し、開閉体４６を開放動作させる。そして、乾燥容器４３内の衛生処理体Ｓを乾燥容器４３の下端開口４３ａを介して落下させ、細断手段４２の枠体ケーシング４２ａ内に衛生処理体Ｓを供給口４２ｂを介して供給する。
【００４１】
それから、開閉体４６の開放動作を検出スイッチにより検出した時点で、細断手段４２の細断機構及び収容手段５の吸引部５１（ブロワ）をそれぞれＯＮ作動させる。このとき、吸引部５１により接続口５２ｃから吸い込まれた引出ケース５２ａ内（紙パック内）の空気は、脱臭フィルタ５１ｂを経て個室Ｋ内に排出されるので、引出ケース５２ａの悪臭が十分に脱臭されてから個室Ｋ内に排出されることになる。
【００４２】
これにより、細断手段４２による衛生処理体Ｓの細断が、乾燥容器４３内において生成される熱風により衛生処理体Ｓを強制的に乾燥させた後に行なわれるため、衛生処理体Ｓに対する各ロール状カッターの刃先の切り込みがスムーズに行なえ、減容手段５の減容効率を図ることができる。細断機構により細断された衛生処理体Ｓの細断片は、排出口４２ｃから吸引口５２ｂを介して引出ケース５２ｂ内、つまり開口部を介して紙パック内に吸引されて収容される。これにより、使用済みの衛生処理体Ｓの悪臭を吸引部５１により吸引して悪臭の逆流を防止しつつ、衛生処理体Ｓの細断片を収容部５２の引出ケース５２ａ内（紙パック内）に確実に吸引することができる。
【００４３】
しかる後、衛生処理体Ｓの細断に要する時間（数分）が経過すると細断機構を自動的にＯＦＦ作動させると共に、この細断機構のＯＦＦ作動後に数分遅れて吸引部５１のブロワを自動的にＯＦＦ作動させる。
【００４４】
それ以降、蓋体２を開放動作させて使用済みの衛生処理体Ｓを投入口１７を介して受け渡し手段３の受け渡し容器３１内に投入する都度、上述の動作を繰り返し行う。
【００４５】
そして、定期的に行われる女性用トイレの清掃時に、衛生処理装置Ｘ内の各種駆動機構の停止状態を確認後、ケーシング１の左側板１５下部位置の蓋板１９を開放させ、引出ケース５２ａを手前に引出し、この引出ケース５２ａ内から紙パックを取り外し、紙パックの開口部を閉じてそのまま持ち出す。これにより、収容部５２（引出ケース５２ａ）に収容された衛生処理体Ｓの細断片をケーシング１の引出ケース５２ａから紙パックごと取り出して簡単に廃棄することができる。
【００４６】
それから、未使用の紙パックを引出ケース５２ａ内に装着し、引出ケース５２ａを収容部５２に戻し、蓋板１９を閉じて作業を完了する。
【００４７】
このように、使用済みの衛生処理体Ｓは、ケーシング１の投入口１７から受け渡し手段３を経て乾燥手段４１により強制的に乾燥された後、細断手段４２により細断されて収容手段５に収容されるので、衛生処理体Ｓが細断片となって効率良く収容され、蓋体２が閉じれないといった不都合が発生することがない。これにより、個室Ｋ内での美観を向上させることができるのは勿論のこと、使用済みの衛生処理体Ｓからの悪臭もシャットアウトでき、非常に衛生的なものとなる。しかも、衛生処理体Ｓが原型のままで収容手段５の引出ケース５２ａ内に収容されることがない上、人目にさらされることもなく、女性の心理面を十分に満足させることができる。
【００４８】
＜第２の参考例＞
次に、本発明の第２の参考例を図３に基づいて説明する。
【００４９】
この参考例では、減容手段の構成を変更している。尚、減容手段を除くその他の構成は上記第１の参考例の場合と同じであり、同一の部分については同一の符号を付してその説明を省略する。
【００５０】
すなわち、本参考例では、図３に示すように、減容手段４は、受け渡し手段３内から渡された衛生処理体Ｓを細断する細断手段４２と、この細断手段４２により細断された衛生処理体Ｓを強制的に乾燥させる乾燥手段４１とを具備してなる。
【００５１】
細断手段４２は、その枠体ケーシング４２ａの供給口４２ｂが受け渡し容器３１の下端開口３１ａに対向するように配置されている。この細断手段４２の細断機構（各ロール状カッター）は、受け渡し容器３１下端の開閉体３２を開放動作させて衛生処理体Ｓを下方に渡してから閉塞動作させたことを検出スイッチにより開閉体３２の閉塞状態を検出した時点で、この検出スイッチから出力される指令信号に基づいてＯＮ作動される。
【００５２】
乾燥手段４１は、その乾燥容器４３の上部が枠体ケーシング４２ａの排出口４２ｃに対向するように配置されている。この乾燥容器４３の下方には、収容手段５（収容部５２）の引出ケース５２ａが連設されている。乾燥容器４３の下端開口４３ａは、引出ケース５２ａの吸引口５２ｂと略一致する形状に形成され、案内部材４７により案内されて前後方向にスライド移動する開閉体６１によって開閉されるようになされている。
【００５３】
この場合、使用済みの衛生処理体Ｓをケーシング１の投入口１７を介して受け渡し手段３の受け渡し容器３１内に投入してから、蓋体２を閉塞して開閉体３２を開放動作させた後にこの開閉体３２の閉塞状態を検出した時点で細断手段４２の細断機構をＯＮ作動させ、衛生処理体Ｓを細断した後、この細断片を乾燥容器４３内において電熱コイル４５及びブロワ４８により生成された熱風により強制的に乾燥させるようにしている。これにより、乾燥手段４１による衛生処理体Ｓの強制乾燥が、細断手段４２により細かく細断された状態で行なわれることになる。このため、衛生処理体Ｓに対する乾燥手段４１の乾燥効率が飛躍的に高められ、減容手段５の減容（乾燥手段４の乾燥）に要する時間を短縮させることができる。
【００５４】
しかも、細断した衛生処理体Ｓの強制乾燥により、使用済みの衛生処理体Ｓから発生する悪臭をより効果的に遮断することができる。
【００５５】
＜第１の実施形態＞
次に、本発明の第１の実施形態を図４に基づいて説明する。
【００５６】
この実施形態では、蓋体、受け渡し手段及び減容手段の構成を変更している。尚、蓋体、受け渡し手段及び減容手段を除くその他の構成は上記第１の参考例の場合と同じであり、同一の部分については同一の符号を付してその説明を省略する。
【００５７】
すなわち、本実施形態では、図４に示すように、衛生処理装置Ｘのケーシング７は、個室Ｋ内に設けられる室内側部分７１と、個室Ｋ外に設けられる室外側部分７２とからなる。
【００５８】
室内側部分７１は、個室Ｋの縦壁Ｋｂに開口する開口部Ｋｃの個室Ｋ側面周縁に取り付けられた枠体７１ａと、この枠体７１ａの上部に回転自在に支持された蓋体２とを備えてなる。枠体７１ａの中央には、開口部Ｋｃと略一致する形状の投入口７３が設けられている。この投入口７３（開口部Ｋｃ）は略矩形状をなし、使用済みの女性用生理用品のみが投入可能な大きさに形成されてなる。
【００５９】
一方、室外側部分７２は、上下方向に長い有底四角筒状に形成され、断面略四分の一円弧状に形成された上板７４と、個室Ｋ外の床面に設置される底板７５と、この上板７４及び底板７５間を前後左右方向から覆う前後両板７６，７７及び左右両側板７８（図では左側板のみ示す）とを備えてなる。前板７６の上端部には、開口部Ｋｃと略一致する形状の連通口７２ａが設けられている。枠体７１ａの投入口７３左側縁には開閉センサ３５が設けられている。この場合、室外側部分７２は、縦壁Ｋｂの個室Ｋ側面に固定されている。
【００６０】
この室外側部分７２は、受け渡し手段８と、減容手段９と、収容手段５とを備えている。
【００６１】
受け渡し手段８は、上部が投入口７５と連通する筒形状の受け渡し容器８１と、この受け渡し容器８１の下端に設けられ、その受け渡し容器８１の下端開口８１ａを開閉する開閉体８２と、受け渡し容器８１の下方に設けられ、受け渡し容器８１から渡された衛生処理体Ｓを案内する案内部８４とを備えてなる。
【００６２】
受け渡し容器８１はケーシング７内の前部を左右方向に延びる仕切壁８３を備えている。この仕切壁８３は、その左右両側端が左右両側板７８にそれぞれ固定されていると共に、上端が前板７６の連通口７２ａ下縁に固定され、ケーシング１内の上部において上板７４及び左右両側板７８とで受け渡し容器８１が形成されるようになされている。
【００６３】
開閉体８２は、その上端が受け渡し容器８１の後端位置において左右方向に延びる軸８２ａ回りに揺動自在に支持されてなる。この開閉体８２の下端には、仕切壁８３の下端に対し当接して受け渡し容器８１の下端開口８１ａを閉塞する当接片８２ｂが設けられている。開閉体８２は、図示しないモータなどの駆動機構により軸８２ａ回りに回動して前後方向に揺動し、受け渡し容器８１の下端開口８１ａを開閉させるようになされている。
【００６４】
案内部８４は、後述する圧縮ローラ９１の直上方まで仕切壁８３を下方に延設させた延設部８３ａと、ケーシング７内の略中央部を左右方向に延び、延設部８３ａに対し衛生処理体Ｓを挿通可能な隙間Ｚを存して対峙する案内壁８５とを備えてなる。この案内壁８３は、その左右両側端が左右両側板７８にそれぞれ固定されている。また、仕切壁８３（延設部８３ａの上部）には、開閉体８２の閉塞状態（開放状態から閉塞動作した際の閉塞状態）を検出する検出センサ（図示せず）が設けられている。
【００６５】
減容手段９は、開閉体８２の開放により受け渡し容器８１内から渡された衛生処理体Ｓを強制的に減容する前後一対の圧縮ローラ９１，９１を備えている。この各圧縮ローラ９１は、互いに微小の隙間を存して並設され、その隙間が受け渡し容器８１の下端開口８１ａの前後方向略中央部下方に位置するようになされている。そして、各圧縮ローラ９１は、図示しない駆動機構によりそれぞれ軸９１ａ回りに相対回転（図に示す矢印方向）し、開閉体８２の開放動作時に受け渡し容器８１内から渡された衛生処理体Ｓを各圧縮ローラ９１間の隙間を通して圧縮し、衛生処理体Ｓを強制的に減容するようになされている。
【００６６】
収容手段５（収容部５２）の引出ケース５２ａの吸引口５２ｂは、各圧縮ローラ９１間の隙間の下方に対向するように設けられている。この場合、各圧縮ローラ９１及び吸引部５１（ブロワ）は、開閉体８２の開放動作を検出する検出センサからの指令信号に基づいてＯＮ作動し、所定時間（例えば数分）経過後に自動的にＯＦＦ作動するように構成されてなる。
【００６７】
この場合、使用済みの衛生処理体Ｓをケーシング７の投入口７３から開口部Ｋｃ及び連通口７２ａを介して受け渡し手段８の受け渡し容器８１内に投入してから、蓋体２を閉塞して開閉体８２を開放動作させた後にこの開閉体８２の閉塞状態を検出した時点で減容手段９の各圧縮ローラ９１をＯＮ作動させ、仕切壁８３の延設部８３ａと案内壁８５との隙間Ｚ内を挿通させた衛生処理体Ｓを各圧縮ローラ９１間で圧縮させた後、収容手段５の引出しケース５２ａ（紙パック）内に収容させるようにしている。これにより、受け渡し手段８、減容手段９及び収容手段３といったＯＮ作動時に音がする騒音部分が室外側部分７２に集約して設けられることになり、衛生処理装置Ｘの使用者が判別し難いものとなる。このため、女性のプライバシーを確実に確保でき、女性への配慮を十分に図ることができる。
【００６８】
しかも、個室Ｋ内には室内側部分７１（枠体７１ａ及び蓋体２）のみが設けられているので、衛生処理装置Ｘによって個室Ｋ内が狭くなることがなく、個室Ｋ内を広く活用することができる。
【００６９】
＜第３の参考例＞
次に、本発明の第３の参考例を図５に基づいて説明する。
【００７０】
この参考例では、減容手段及び収容手段の構成を変更している。尚、減容手段及び収容手段を除くその他の構成は上記第１の参考例の場合と同じであり、同一の部分については同一の符号を付してその説明を省略する。
【００７１】
すなわち、本参考例では、図５に示すように、減容手段１０は、衛生処理体Ｓを袋としてのビニール筒袋１０１（ビニール袋）内に包み込む包み込み手段１０２と、このビニール筒袋１０１内から空気を吸引する真空手段１０３とを備えている。
【００７２】
包み込み手段１０２は、略円筒形状の円筒ケース１０２ａを備えている。この円筒ケース１０２ａは、受け渡し手段３（受け渡し容器３１）の下端開口３１ａと対向するように上方に開口する供給口１０２ｂと、後述する引出ケース１０６ａの投入口１０６ｂと対向するように下方に開口する排出口１０２ｃとを備えてなる。また、円筒ケース１０２ａの外周面には、下方（引出ケース１０６ａの投入口１０６ｂ側）に送出可能となるように多大な長さの筒状のビニール筒袋１０１が襞状をなして被せられている。さらに、円筒ケース１０２ａの排出口１０２ｃの直下方には、ビニール筒袋１０１の送出端を熱溶着により塞ぐ熱溶着手段１０４が設けられている。この熱溶着手段１０４は、ビニール筒袋１０１の送出方向と略直交する互いに向き合う前後方向（図５では左右方向）から接離可能な一対の熱溶着ヘッド１０４ａ，１０４ａを備えている。そして、熱溶着手段１０４は、図５に示す二点鎖線位置から実線位置まで各熱溶着ヘッド１０４ａを接近させて衛生処理体Ｓを落とし込むごとにビニール筒袋１０１の送出端（図では円筒ケース１０２ａの排出口１０２ｃの直下方端）を萎め、真空手段１０３によりビニール筒袋１０１内の空気を吸引した後にさらに各熱溶着ヘッド１０４ａを接近させることでビニール筒袋１０１の送出端を閉じ、これによって、衛生処理体Ｓを１個又は複数個ずつ個別にビニール筒袋１０１内に真空状態で包み込むようになされている。この場合、ビニール筒袋１０１としては、内部を透視不能とする黒色のものが適用されている。
【００７３】
一方、真空手段１０３は、ブロワ１０５を備えている。このブロワ１０５の吸引口１０５ａは吸引管１０５ｂを介して円筒ケース１０２ａに開口している。一方、ブロワ１０５の噴出口１０５ｃは噴出管１０５ｄを介してケーシング１の後板１４の下部位置に開口している。この場合、真空手段１０３（ブロワ１０５）によってビニール筒袋１０１内の空気を吸引し、これによって、ビニール筒袋１０１内で衛生処理体Ｓを押し潰すようになされている。
【００７４】
減容手段１０下方の収容手段１０６は、上方（円筒ケース１０２ａの排出口１０２ｃ側）に開口する投入口１０６ｂを有する引出ケース１０６ａを備えている。この引出ケース１０６ａには、ビニール筒袋１０１に包み込んだ衛生処理体Ｓが投入口１０６ｂを介して投入され、その投入順に衛生処理体Ｓが積み重ねられるようになされている。
【００７５】
この場合、使用済みの衛生処理体Ｓをケーシング１の投入口１７から受け渡し手段３の受け渡し容器３１内に投入してから、蓋体２を閉塞して開閉体３２を開放動作させる。これに伴い、円筒ケース１０２ａの供給口１０２ｂから排出口１０２ｃを経て衛生処理体Ｓを１個又は複数個ずつビニール筒袋１０１内に落とし込む。このとき、熱溶着手段１０４の各熱溶着ヘッド１０４ａは、図５に示す実線位置に位置している。次いで、各熱溶着ヘッド１０４ａを、図５に示す二点鎖線位置まで接近させ、ビニール筒袋１０１の送出端を萎める。この状態で、真空手段１０３のブロワ１０３ａを作動させ、ビニール筒袋１０１内の空気を吸引することによって、空気の吸引に伴いビニール筒袋１０１内で衛生処理体Ｓを押し潰す。しかる後、さらに各熱溶着ヘッド１０４ａを接近させ、ビニール筒袋１０１の送出端を閉じることで、衛生処理体Ｓを１個ずつ又は複数個ずつ個別にビニール筒袋１０１内に真空状態で包み込み、収容部１０６の引出ケース１０６ａ内に収容する。
【００７６】
このように、ビニール筒袋１０１内の空気を吸引することによってビニール筒袋１０１内の衛生処理体Ｓを押し潰すので、減容手段１０が嵩張ることなく簡単に構成され、減容手段５のコンパクト化及びシンプル化を図ることができる。
【００７７】
しかも、内部透視不能な黒色のビニール筒袋１０１を用いることで、使用済みの衛生処理体Ｓが人目に晒されることはなく、使用済みの衛生処理体Ｓからの悪臭及び内容物の漏れ出しを個別に防止してより確実なものにでき、女性の心理面を配慮した非常に優れたものにすることができる。
【００７８】
＜第２の実施形態＞
次に、本発明の第２の実施形態を図６に基づいて説明する。
【００７９】
この実施形態では、開閉体及び減容手段の構成を変更している。尚、開閉体及び減容手段を除くその他の構成は上記第３の参考例の場合と同じであり、同一の部分については同一の符号を付してその説明を省略する。
【００８０】
すなわち、本実施形態では、図６に示すように、減容手段２０は、衛生処理体Ｓをビニール筒袋２０１（ビニール袋）内に包み込む包み込み手段２０２と、このビニール筒袋２０１内から空気を吸引する真空手段１０３とを備えている。
【００８１】
包み込み手段２０２は、略四角筒形状の角筒ケース２０２ａを備えている。この角筒ケース２０２ａは、受け渡し手段３の下端開口３１ａと対向するように上方に開口する供給口２０２ｂと、引出ケース１０６ａの投入口１０６ｂと対向するように下方に開口する排出口２０２ｃとを備えてなる。また、角筒ケース２０２ａの前後両側方には、それぞれ長尺なシート状のビニール２０１ａを導出可能に巻回してなる前後一対のビニール巻回体２０１ｂ，２０１ｂを備えている。この各ビニール巻回体２０１ｂは、ケーシング１に対し着脱自在に設けられている。そして、各ビニール巻回体２０１ｂから導出されるビニール２０１ａは、角筒ケース２０２ａの外周面に対し前後両方向からそれぞれ被せられ、角筒ケース２０２ａの外周面左右両位置下端に設けられた前後一対の熱溶着部２０２ｄ，２０２ｄ間での熱容着によってビニール筒袋２０１が形成されるようになされている。このビニール筒袋２０１は、下方（引出ケース１０６ａの投入口１０６ｂ側）に送出されるようになされている。
【００８２】
また、角筒ケース２０２ａの排出口２０２ｃの直下方には、ビニール筒袋２０１の送出端を熱溶着により塞ぐ熱溶着手段２０４が設けられている。この熱溶着手段２０４は、ビニール筒袋２０１の送出方向と略直交する互いに向き合う左右方向（図６では前後方向）から接離可能な一対の熱溶着ヘッド２０４ａ（図では右側のもののみ示す）を備えている。そして、熱溶着手段２０４は、各熱溶着ヘッド２０４ａを接近させて衛生処理体Ｓを落とし込むごとにビニール筒袋２０１の送出端（図では角筒ケース２０２ａの排出口２０２ｃの直下方端）を萎め、真空手段１０３によりビニール筒袋２０１内の空気を吸引した後にさらに各熱溶着ヘッド２０４ａを接近させることでビニール筒袋２０１の送出端を閉じ、これによって、衛生処理体Ｓを１個又は複数個ずつ個別にビニール筒袋２０１内に真空状態で包み込むようになされている。この場合、真空手段１０３によってビニール筒袋２０１内の空気を吸引することで、ビニール筒袋２０１内で衛生処理体Ｓを押し潰すようになされている。また、ビニール筒袋２０１（各ビニール２０１ａ）としては、内部を透視不能とする暗色のものが適用されている。
【００８３】
さらに、開閉体２０６は、受け渡し容器３１の下端開口３１ａを開閉する前後一対の観音扉２０６ａ，２０６ａを備えている。この各観音扉２０６ａは、図６において実線で示す閉塞状態と、二点鎖線で示す開放状態とに変換可能に構成されている。
【００８４】
この場合、使用済みの衛生処理体Ｓをケーシング１の投入口１７から受け渡し手段３の受け渡し容器３１内に投入してから、蓋体２を閉塞して各観音扉２０６ａを開放動作させる。これに伴い、角筒ケース２０２ａの供給口２０２ｂから排出口２０２ｃを経て衛生処理体Ｓを１個又は複数個ずつビニール筒袋２０１内に落とし込む。このとき、熱溶着手段２０４の各熱溶着ヘッド２０４ａは、衛生処理体Ｓが投入可能な離間位置に位置付けられている。次いで、各熱溶着ヘッド２０４ａを接近させ、ビニール筒袋２０１の送出端を萎める。この状態で、真空手段１０３を作動させ、ビニール筒袋２０１内の空気を吸引することによって、空気の吸引に伴いビニール筒袋２０１内で衛生処理体Ｓを押し潰す。しかる後、さらに各熱溶着ヘッド２０４ａを接近させ、ビニール筒袋２０１の送出端を閉じることで、衛生処理体Ｓを１個ずつ又は複数個ずつ個別にビニール筒袋２０１内に真空状態で包み込み、収容部１０６の引出ケース１０６ａ内に収容する。
【００８５】
本実施形態では、各ビニール巻回体２０１ｂからシート状のビニール２０１ａを導出し、熱溶着部２０２ｄによってビニール筒袋２０１が形成されるので、ビニール２０１ａの補給がビニール巻回体２０１ｂの取り替えにより簡単に行え、ビニール筒袋２０１（ビニール２０１ａ）のサービス性を図ることができる。
【００８６】
＜第４の参考例＞
次に、本発明の第４の参考例を図７に基づいて説明する。
【００８７】
この参考例では、収容手段の構成を変更している。尚、収容手段を除くその他の構成は上記第１の参考例の場合と同じであり、同一の部分については同一の符号を付してその説明を省略する。
【００８８】
すなわち、本参考例では、図７に示すように、収容手段３０は、減容手段４により減容された衛生処理体（図示せず）をビニール筒袋３０１（ビニール袋）内に包み込む包み込み手段３０２と、このビニール筒袋３０１内から空気を吸引する真空手段３０３とを備えている。
【００８９】
包み込み手段３０２は、略円筒形状の円筒ケース３０２ａを備えている。この円筒ケース３０２ａは、減容手段４の排出口４２ｃと対向するように上方に開口する供給口３０２ｂと、引出ケース３０６ａの投入口３０６ｂと対向するように下方に開口する排出口３０２ｃとを備えてなる。また、円筒ケース３０２ａの外周面には、下方（引出ケース３０６ａの投入口３０６ｂ側）に送出可能となるように多大な長さの筒状のビニール筒袋３０１が襞状をなして被せられている。さらに、円筒ケース３０２ａの排出口３０２ｃの直下方には、ビニール筒袋３０１の送出端を熱溶着により塞ぐ熱溶着手段３０４が設けられている。この熱溶着手段３０４は、ビニール筒袋３０１の送出方向と略直交する互いに向き合う前後方向から接離可能な一対の熱溶着ヘッド３０４ａ，３０４ａを備えている。そして、熱溶着手段３０４は、図７に示す一点鎖線位置から実線位置まで各熱溶着ヘッド３０４ａを接近させて減容済みの衛生処理体を落とし込むごとにビニール筒袋３０１の送出端を萎め、真空手段３０３によりビニール筒袋３０１内の空気を吸引した後にさらに各熱溶着ヘッド３０４ａを接近させることでビニール筒袋３０１の送出端を閉じ、これによって、減容済みの衛生処理体を個別にビニール筒袋３０１内に真空状態で包み込むようになされている。この場合、ビニール筒袋３０１としては、内部を透視不能とする暗黒色のものが適用されている。
【００９０】
一方、真空手段３０３は、ブロワ３０５を備えている。このブロワ３０５の吸引口３０５ａは吸引管３０５ｂを介して円筒ケース３０２ａに開口している。一方、ブロワ３０５の噴出口３０５ｃは噴出管３０５ｄを介してケーシング１の後板１４の下部位置に開口している。この場合、真空手段３０３（ブロワ３０５）によってビニール筒袋３０１内の空気を吸引し、これによって、ビニール筒袋３０１内で減容済みの衛生処理体の嵩を小さくするようになされている。
【００９１】
また、収容手段３０は、上方（円筒ケース３０２ａの排出口３０２ｃ側）に開口する投入口３０６ｂを有する引出ケース３０６ａを備えている。この引出ケース３０６ａには、ビニール筒袋３０１に包み込んだ減容済みの衛生処理体が投入口３０６ｂを介して投入され、その投入順に衛生処理体が積み重ねられるようになされている。
【００９２】
この場合、使用済みの衛生処理体Ｓをケーシング１の投入口１７から受け渡し手段３の受け渡し容器３１内に投入してから、蓋体２を閉塞して開閉体３２を開放動作させる。次いで、受け渡し容器３１の下端開口３１ａを介して落下する衛生処理体Ｓを、乾燥手段４１の乾燥容器４３内で強制的に乾燥させた後、細断手段４２の細断機構により細断する。その後、円筒ケース３０２ａの供給口３０２ｂから排出口３０２ｃを経て減容済みの衛生処理体をビニール筒袋３０１内に落とし込み、各熱溶着ヘッド３０４ａを、図７に示す実線位置から一点鎖線位置まで接近させ、ビニール筒袋３０１の送出端を萎める。この状態で、真空手段３０３のブロワ３０３ａを作動させ、ビニール筒袋３０１内の空気を吸引することによって、空気の吸引に伴いビニール筒袋３０１内で衛生処理体の嵩を小さくする。しかる後、さらに各熱溶着ヘッド３０４ａを接近させ、ビニール筒袋３０１の送出端を閉じることで、減容済みの衛生処理体を個別にビニール筒袋３０１内に真空状態で包み込み、収容部３０６の引出ケース３０６ａ内に収容する。
【００９３】
このように、収容部３０６に、減容済みの衛生処理体を密閉状態に包み込む包み込み手段３０２によって、使用済みの衛生処理体からの悪臭及び内容物の漏れ出しが確実に抑えられ、衛生上において非常に優れたものにすることができる。
【００９４】
なお、上記第１の実施形態、第２の実施形態、第１の参考例、第２の参考例、第３の参考例、第４の参考例（以下、各実施形態等という。）では、衛生処理体Ｓとして、ナプキンやタンポンなど女性用生理用品を対象とする衛生処理装置Ｘを構成したが、紙おむつなど性別を問わず使用される衛生処理体を対象とする衛生処理装置であっても良い。この場合、衛生処理装置の投入口は、紙おむつに適した形状（大きさ）に形成されることになる。
【００９５】
また、上記各実施形態等では、蓋体２を、使用者自ら突起２１を持って開閉させるようにしたが、押しボタン又は手の接近を検出する検出センサにより蓋体が自動的に開閉するように構成されていても良い。
【００９６】
しかも、上記各実施形態等では、減容手段を、乾燥手段４１及び細断手段４２を組合わせたもの、圧縮ローラ９１，９１、又は、包み込み手段１０２，２０２及び真空手段１０３を組み合わせたものによって構成したが、電子レンジのように大電力のマイクロウェーブを得るマグネトロンによって減容手段が構成されるようにしてもよい。この場合、衛生処理体の減容に要する時間が飛躍的に短縮され、処理時間の短縮化を図る上で非常に有利なものとなる。また、第１及び第２の参考例の乾燥手段に代えてマグネトロンが適用されるようにしたり、第１の実施形態の圧縮ローラ９１，９１とマグネトロンを組み合わせて用いられるようにしたりしてもよく、この場合においても、衛生処理体の処理に要する時間が飛躍的に短縮されることになる。
【００９７】
さらに、上記各実施形態等では、開閉体３２，４６（６１又は８２）の閉塞状態を検出して乾燥手段４１及び細断手段４２（又は減容手段９の各圧縮ローラ９１）、並びに吸引部５１を適宜ＯＮ作動させたが、このようにＯＮ作動時に音がする騒音部分（減容手段及び収容手段）がトイレの水を流す際にＯＮ作動するようにしても良い。この場合には、騒音部分のＯＮ作動時の騒音がトイレの水音に紛れ、プライバシーを確保する上で非常に有利なものとなる。
【００９８】
さらにまた、上記第４の参考例では、強制乾燥した後に細断した減容済みの衛生処理体をビニール筒袋３０１に包み込んだが、細断した後に強制乾燥した減容済みの衛生処理体がビニール筒袋に包み込まれるようにしてもよいのは勿論である。
【００９９】
【発明の効果】
以上のように、本発明に係る衛生処理装置によれば、使用済みの衛生処理体を減容手段により強制的に減容した状態で収容手段に収容することで、使用済みの衛生処理体を細断して効率良く収容し、美観を向上させることができる上、悪臭をシャットアウトして、非常に衛生的な衛生処理装置を提供することができる。しかも、女性用生理用品においても原型のまま人目にさらされることがなく、女性の心理面を十分に満足させることができる。
【０１００】
また、乾燥手段により乾燥させた衛生処理体を細断手段により細断することで、衛生処理体に対する刃先の切り込みをスムーズに行なって減容手段の減容効率を図ることができる。しかも、乾燥手段による衛生処理体の強制乾燥により悪臭を効果的に遮断することができる。
【０１０１】
また、細断手段により細かく細断した衛生処理体を乾燥手段により強制乾燥することで、乾燥手段の乾燥効率を飛躍的に向上させ、減容手段の減容に要する時間を短縮させることができる。しかも、細断した衛生処理体の強制乾燥によって悪臭をより効果的に遮断することができる。
【０１０２】
また、真空手段によって袋内の空気を吸引しその袋内で衛生処理体を押しつぶすことで、減容手段のコンパクト化及びシンプル化を図ることができる。
【０１０３】
また、ケーシングの室内側部分に少なくとも蓋体を設ける一方、室外側部分に少なくとも収容手段を設けることで、騒音部分を室外側部分に集約して設けることが可能となり、衛生処理装置の使用者を判別し難くして、プライバシーを確実に確保し、使用者への配慮を十分に図ることができる。
【０１０４】
また、収容手段に吸引部とケーシングに対し着脱可能な収容部とを設けることで、悪臭の逆流を防止しつつ衛生処理体を収容部内に確実に吸引でき、衛生処理体を簡単に廃棄することができる。
【０１０５】
また、殺菌灯を設けることで、雑菌の繁殖を抑え、衛生処理体を非常に衛生的に収容することができる。
【０１０６】
また、投入口と連通する容器の下端を蓋体閉塞時に開放する開閉体を設けることで、使用済みの衛生処理体を容器内に投入する際に、先に投入した衛生処理体を見せないようにし、使用者、特に女性にとって非常に好ましいものにできる。
【０１０７】
また、収容部に、包み込み手段を収容部に設けることで、使用済みの衛生処理体からの悪臭及び内容物の漏れ出しを確実に抑え、衛生上非常に優れたものにすることができる。
【０１０８】
さらに、衛生処理体を不透明なビニールによって個別に包み込むことで、使用済みの衛生処理体を人目に晒すことなく悪臭及び内容物の漏れ出しをより確実に防止し、女性の心理面を配慮した非常に優れたものにすることができる。
【図面の簡単な説明】
【図１】  本発明の第１の参考例に係わる衛生処理装置の断面図である。
【図２】  同衛生処理装置の斜視図である。
【図３】  本発明の第２の参考例に係わる衛生処理装置の断面図である。
【図４】  本発明の第１の実施形態に係わる衛生処理装置の断面図である。
【図５】  本発明の第３の参考例に係わる衛生処理装置の断面図である。
【図６】  本発明の第２の実施形態に係わる衛生処理装置の断面図である。
【図７】  本発明の第４の参考例に係わる衛生処理装置の断面図である。
【符号の説明】
１          ケーシング
１７        投入口
２          蓋体
３          受け渡し手段
３２        開閉体
４          減容手段
４１        乾燥手段
４２        細断手段
４４ｂ      殺菌灯
５          収容手段
５１        吸引部
５２        収容部
７          ケーシング
７１        室内側部分
７２        室外側部分
７３        投入口
８          受け渡し手段
８２        開閉体
９          減容手段
１０        減容手段
１０１      ビニール筒袋（袋、ビニール袋）
１０２      包み込み手段
１０３      真空手段
１０６      収容手段
２０        減容手段
２０１      ビニール筒袋（袋、ビニール袋）
２０２      包み込み手段
３０        収容手段
３０１      ビニール筒袋（袋、ビニール袋）
３０２      包み込み手段
３０３      真空手段
Ｓ          衛生処理体
Ｘ          衛生処理装置
【図１】
0004108867.tif 000002
【図２】
0004108867.tif 000003
【図３】
0004108867.tif 000004
【図４】
0004108867.tif 000005
【図５】
0004108867.tif 000006
【図６】
0004108867.tif 000007
【図７】
0004108867.tif 000008